(57)【要約】【課題】本発明は子供用船玩具を開示した。【解決手段】メイン船体１０を含み、メイン船体１０の中にはスプレーチャンバ１８が設置されており、スプレーチャンバ１８の中にはスプレー装置８０が設置され、スプレー装置８０は水を吸うことと、水を吹き出すことができ、スプレーチャンバ１８の右側にはクランクチャンバ６０が設置され、クランクチャンバ６０の頂部には伝動チャンバ４３が設置され、伝動チャンバ４３の左側には扇形歯車チャンバ４０が設置され、伝動チャンバ４３の右側にはスライドチャンバ３８が設置され、スライドチャンバ３８の中にスライドブロック機構８１が設置され、スライドブロック機構８１はスプレー装置８０の開閉を制御することができ、スライドチャンバ３８の底部には進行チャンバ３３が設置され、進行チャンバ３３の中には動力機構８２が設置され、動力機構８２が前記メイン船体１０を押し動かして移動させることができる。【選択図】図１
2020146415.tif 000002
【特許請求の範囲】
【請求項１】
メイン船体を含み、前記メイン船体の中にはスプレーチャンバが設置されており、前記スプレーチャンバの中にはスプレー装置が設置されており、前記スプレー装置は水を吸うことと、水を吹き出すことができ、前記スプレーチャンバの右側にはクランクチャンバが設置されており、前記クランクチャンバの頂部には伝動チャンバが設置されており、前記伝動チャンバの左側には扇形歯車チャンバが設置されており、前記伝動チャンバの右側にはスライドチャンバが設置されており、前記スライドチャンバの中にスライドブロック機構が設置されており、前記スライドブロック機構はスプレー装置の開閉を制御することができ、前記スライドチャンバの底部には進行チャンバが設置されており、前記進行チャンバの中には動力機構が設置されており、前記動力機構が前記メイン船体を押し動かして移動させることができ、前記スライドチャンバの底部には転向チャンバが設置されており、前記転向チャンバの中には転向機構が設置されており、前記転向機構は前記メイン船体の回転を制御できることを特徴とする子供用船玩具。
【請求項２】
前記スプレー装置は前記メイン船体の頂端に回転できるように設置される支え回転軸が含み、前記支え回転軸の頂部には固定的にスプレーブロックが設置されており、前記スプレーブロックの中には固定的にスプレー管路が設置されており、前記スプレー管路が前記支え回転軸を貫き、前記スプレー管路の中には出水逆止弁が設置されており、前記スプレーチャンバの中にはスライドできるように押え板が設置されており、前記スプレーチャンバの底部が進水逆止弁によって外界と繋がり、前記押え板の右側には固定的に押えロッドが設置されており、前記クランクチャンバの中に回転できるようにクランク回転軸が設置されており、前記クランク回転軸は連接ロッドによって前記押えロッドとヒンジで接続され、前記クランク回転軸の頂端には前記伝動チャンバの中に位置する傘歯車Ａが固定的に設置されており、前記扇形歯車チャンバの中には回転できるように扇型歯車が設置されており、前記スプレーブロックの右側の端面には固定的にラックが設置されており、前記ラックの底端は前記扇型歯車と噛合設置されており、前記スプレーブロックの右側には固定的に人形が設置されており、クランク回転軸が回転し、押えロッドが連動して左右に往復に押え板を押さえ、これにより水がスプレーチャンバに吸い込ませて出水逆止弁を通してスプレー管路から吹き出され、扇型歯車が回転してラックを往復にスイングさせ、これによりさらにスプレー管路から噴出された水柱をスイングさせることを特徴とする請求項１に記載の子供用船玩具。
【請求項３】
前記スライドブロック機構は前記スライドチャンバにスライドできるように設置されるスライドブロックを含み、前記スライドブロックの中にはスプラインスリーブが回転できるように設置されており、前記スプラインスリーブの右側の末端には切替歯車が固定的に設置されており、前記伝動チャンバの中には左右に伸びているスプライン軸が回転できるように設置されており、前記スプライン軸の右側の伸びている部分と前記スプラインスリーブとがスプラインによって係合接続され、前記扇形歯車チャンバの中の前記スプライン軸の外壁には二組の端面歯車が左右に斜め対称的に設置されており、前記端面歯車が間欠的に前記扇型歯車と噛み合い、前記スライドブロックと前記スライドチャンバの間に撥条が弾性的に接続されており、前記スライドチャンバの頂部にはボタンブロックが設置されており、前記ボタンブロックにボタンがヒンジで接続されており、前記ボタンの底には長スライドブロックがスライドできるように設置されており、前記長スライドブロックの右側には短スライド板がスライドできるように設置されており、前記長スライドブロックにはスロットが設置されており、前記長スライドブロックと前記スライドブロックとが圧着してスライドできるように係合されており、前記長スライドブロックと前記短スライドブロックの間にはボードがスライドできるように設置されており、前記ボードの頂端には復元機構が設置されており、前記短スライド板と前記ボードの右端とが圧着してスライドできるように係合されており、ボタンの左側を押し、長スライドブロックを下へ移動させ、それによりボードをスロットの中に固定し、長スライドブロックがスライドブロックを押圧して右へ移動させてスライドチャンバを右へ移動させ、動力が通じ、ボタンの右側を押し、短スライド板を下へスライドさせ、これにより短スライド板がボードを押圧して右へ移動させ、ボードをスロットから離れさせ、スライドブロックが復元し、動力が断つことを特徴とする請求項１に記載の子供用船玩具。
【請求項４】
前記動力機構は前記スライドチャンバの頂壁の中に固定的に植設されるメインモーターを含み、前記メインモーターの底端には動力軸が伝動できるように接続されており、前記動力軸の外壁には動力歯車が円周方向に固定的に設置され、前記動力軸の底端には前記進行チャンバの中に設置される進行歯車が固定的に設置されており、前記メイン船体の右側端面に羽根スロットが設置されており、前記ターボ扇風機と前記進行チャンバの間にはターボ扇風機軸が回転できるように設置されており、前記ターボ扇風機軸の一端にはターボ羽根が設置されており、前記ターボ扇風機軸のもう一端には従輪が固定的に設置されており、前記従輪は前記進行歯車と噛合設置されることを特徴とする請求項１に記載の子供用船玩具。
【請求項５】
前記転向機構は前記転向チャンバの頂壁中に固定的に植設される回転モーターが含み、前記回転モーターの底端にはプーリが伝動できるように接続され、前記回転軸の底部には転向板が固定的に設置されており、前記転向板は同じような二組が設置されており、前記プーリが左右対称的に設置されており、前記プーリの間がベルトによって伝動できるように接続されることを特徴とする請求項１に記載の子供用船玩具。
【発明の詳細な説明】
【技術分野】
【０００１】
本発明はおもちゃ分野を取り上げて、具体的には子供用船玩具。
【背景技術】
【０００２】
現在、既存の船玩具は一般には広い水面に移動するのであり、浴室で移動するのは非常に不便であり、既存の子供用浴室のおもちゃの構造が単純であり、機能が単一であり、だから、子供が入浴中の楽しみをふやすために、子供入浴用の船玩具を設計する必要がある。
【先行技術文献】
【特許文献】
【０００３】
【特許文献１】中国特許出願公開第１０４０９６３６４号明細書
【発明の概要】
【発明が解決しようとする課題】
【０００４】
本発明は子供用船玩具を提供し、上記背景技術において提出した欠点を解決することを目的とする。
【課題を解決するための手段】
【０００５】
本発明の子供用船玩具は、メイン船体を含み、前記メイン船体の中にはスプレーチャンバが設置されており、前記スプレーチャンバの中にはスプレー装置が設置されており、前記スプレー装置は水を吸うことと、水を吹き出すことができ、前記スプレーチャンバの右側にはクランクチャンバが設置されており、前記クランクチャンバの頂部には伝動チャンバが設置されており、前記伝動チャンバの左側には扇形歯車チャンバが設置されており、前記伝動チャンバの右側にはスライドチャンバが設置されており、前記スライドチャンバの中にスライドブロック機構が設置されており、前記スライドブロック機構はスプレー装置の開閉を制御することができ、前記スライドチャンバの底部には進行チャンバが設置されており、前記進行チャンバの中には動力機構が設置されており、前記動力機構が前記メイン船体を押し動かして移動させることができ、前記スライドチャンバの底部には転向チャンバが設置されており、前記転向チャンバの中には転向機構が設置されており、前記転向機構は前記メイン船体の回転を制御できる。
【０００６】
更なる技術方案、前記スプレー装置は前記メイン船体の頂端に回転できるように設置される支え回転軸が含み、前記支え回転軸の頂部には固定的にスプレーブロックが設置されており、前記スプレーブロックの中には固定的にスプレー管路が設置されており、前記スプレー管路が前記支え回転軸を貫き、前記スプレー管路の中には出水逆止弁が設置されており、前記スプレーチャンバの中にはスライドできるように押え板が設置されており、前記スプレーチャンバの底部が進水逆止弁によって外界と繋がり、前記押え板の右側には固定的に押えロッドが設置されており、前記クランクチャンバの中に回転できるようにクランク回転軸が設置されており、前記クランク回転軸は連接ロッドによって前記押えロッドとヒンジで接続され、前記クランク回転軸の頂端には前記伝動チャンバの中に位置する傘歯車Ａが固定的に設置されており、前記扇形歯車チャンバの中には回転できるように扇型歯車が設置されており、前記スプレーブロックの右側の端面には固定的にラックが設置されており、前記ラックの底端は前記扇型歯車と噛合設置されており、前記スプレーブロックの右側には固定的に人形が設置されており、クランク回転軸が回転し、押えロッドが連動して左右に往復に押え板を押さえ、これにより水がスプレーチャンバに吸い込ませて出水逆止弁を通してスプレー管路から吹き出され、扇型歯車が回転してラックを往復にスイングさせ、これによりさらにスプレー管路から噴出された水柱をスイングさせる。
【０００７】
更なる技術方案、前記スライドブロック機構は前記スライドチャンバにスライドできるように設置されるスライドブロックを含み、前記スライドブロックの中にはスプラインスリーブが回転できるように設置されており、前記スプラインスリーブの右側の末端には切替歯車が固定的に設置されており、前記伝動チャンバの中には左右に伸びているスプライン軸が回転できるように設置されており、前記スプライン軸の右側の伸びている部分と前記スプラインスリーブとがスプラインによって係合接続され、前記扇形歯車チャンバの中の前記スプライン軸の外壁には二組の端面歯車が左右に斜め対称的に設置されており、前記端面歯車が間欠的に前記扇型歯車と噛み合い、前記スライドブロックと前記スライドチャンバの間に撥条が弾性的に接続されており、前記スライドチャンバの頂部にはボタンブロックが設置されており、前記ボタンブロックにボタンがヒンジで接続されており、前記ボタンの底には長スライドブロックがスライドできるように設置されており、前記長スライドブロックの右側には短スライド板がスライドできるように設置されており、前記長スライドブロックにはスロットが設置されており、前記長スライドブロックと前記スライドブロックとが圧着してスライドできるように係合されており、前記長スライドブロックと前記短スライドブロックの間にはボードがスライドできるように設置されており、前記ボードの頂端には復元機構が設置されており、前記短スライド板と前記ボードの右端とが圧着してスライドできるように係合されており、ボタンの左側を押し、長スライドブロックを下へ移動させ、それによりボードをスロットの中に固定し、長スライドブロックがスライドブロックを押圧して右へ移動させてスライドチャンバを右へ移動させ、動力が通じ、ボタンの右側を押し、短スライド板を下へスライドさせ、これにより短スライド板がボードを押圧して右へ移動させ、ボードをスロットから離れさせ、スライドブロックが復元し、動力が断つ。
【０００８】
更なる技術方案、前記動力機構は前記スライドチャンバの頂壁の中に固定的に植設されるメインモーターを含み、前記メインモーターの底端には動力軸が伝動できるように接続されており、前記動力軸の外壁には動力歯車が円周方向に固定的に設置され、前記動力軸の底端には前記進行チャンバの中に設置される進行歯車が固定的に設置されており、前記メイン船体の右側端面に羽根スロットが設置されており、前記ターボ扇風機と前記進行チャンバの間にはターボ扇風機軸が回転できるように設置されており、前記ターボ扇風機軸の一端にはターボ羽根が設置されており、前記ターボ扇風機軸のもう一端には従輪が固定的に設置されており、前記従輪は前記進行歯車と噛合設置される。
【０００９】
更なる技術方案、前記転向機構は前記転向チャンバの頂壁中に固定的に植設される回転モーターが含み、前記回転モーターの底端にはプーリが伝動できるように接続され、前記回転軸の底部には転向板が固定的に設置されており、前記転向板は同じような二組が設置されており、前記プーリが左右対称的に設置されており、前記プーリの間がベルトによって伝動できるように接続される。
【発明の効果】
【００１０】
本発明の有益な効果は下記の通りである：
【００１１】
本発明の船玩具はモニターで転向を制御するのは可能で、それに水面に進行するときに、ボタンを押してスプレー装置の動力に繋がり、船玩具が水を噴出し、おもちゃの面白みを増やし、それに本おもちゃの構造はかなり簡単で広がりやすい。
【図面の簡単な説明】
【００１２】
【図１】は本発明の子供用船玩具の内部全体構成模式図であり；
【図２】は本発明の図１のＡの局部拡大略図である；
【図３】は本発明の図１のＢの局部拡大略図である。
【発明を実施するための形態】
【００１３】
以下に図１&#12316;３を交えて本発明について詳しく説明する、便利に叙述するように、現在は後文に出る方位を下記の通りに規定する：後文に出る上下左右前後方向は図１本体の投影関係の上下左右前後方向と一致する。
【００１４】
図１−３を参照し、本発明の実施例の一種の子供用船玩具は、メイン船体１０を含み、前記メイン船体１０の中にはスプレーチャンバ１８が設置されており、前記スプレーチャンバ１８の中にはスプレー装置８０が設置されており、前記スプレー装置８０は水を吸うことと、水を吹き出すことができ、前記スプレーチャンバ１８の右側にはクランクチャンバ６０が設置されており、前記クランクチャンバ６０の頂部には伝動チャンバ４３が設置されており、前記伝動チャンバ４３の左側には扇形歯車チャンバ４０が設置されており、前記伝動チャンバ４３の右側にはスライドチャンバ３８が設置されており、前記スライドチャンバ３８の中にスライドブロック機構８１が設置されており、前記スライドブロック機構８１はスプレー装置８０の開閉を制御することができ、前記スライドチャンバ３８の底部には進行チャンバ３３が設置されており、前記進行チャンバ３３の中には動力機構８２が設置されており、前記動力機構８２が前記メイン船体を押し動かして移動させることができ、前記スライドチャンバ３８の底部には転向チャンバ２７が設置されており、前記転向チャンバ２７の中には転向機構８３が設置されており、前記転向機構８３は前記メイン船体１０の回転を制御できる。
【００１５】
有益なまた例を示すように、前記スプレー装置８０は前記メイン船体１０の頂端に回転できるように設置される支え回転軸１７が含み、前記支え回転軸１７の頂部には固定的にスプレーブロック１２が設置されており、前記スプレーブロック１２の中には固定的にスプレー管路１１が設置されており、前記スプレー管路１１が前記支え回転軸１７を貫き、前記スプレー管路１１の中には出水逆止弁１６が設置されており、前記スプレーチャンバ１８の中にはスライドできるように押え板２０が設置されており、前記スプレーチャンバ１８の底部が進水逆止弁１９によって外界と繋がり、前記押え板２０の右側には固定的に押えロッド２１が設置されており、前記クランクチャンバ６０の中に回転できるようにクランク回転軸４６が設置されており、前記クランク回転軸４６は連接ロッド４７によって前記押えロッド２１とヒンジで接続され、前記クランク回転軸４６の頂端には前記伝動チャンバ４３の中に位置する傘歯車Ａ４５が固定的に設置されており、前記扇形歯車チャンバ４０の中には回転できるように扇型歯車１４が設置されており、前記スプレーブロック１２の右側の端面には固定的にラック１３が設置されており、前記ラック１３の底端は前記扇型歯車１４と噛合設置されており、前記スプレーブロック１２の右側には固定的に人形１５が設置されており、クランク回転軸４６が回転し、押えロッド２１が連動して左右に往復に押え板２０を押さえ、これにより水がスプレーチャンバ１８に吸い込ませて出水逆止弁１６を通してスプレー管路１１から吹き出され、扇型歯車１４が回転してラック１３を往復にスイングさせ、これによりさらにスプレー管路から噴出された水柱をスイングさせる。
【００１６】
有益なまた例を示すように、前記スライドブロック機構８１は前記スライドチャンバ３８にスライドできるように設置されるスライドブロック５５を含み、前記スライドブロック５５の中にはスプラインスリーブ６３が回転できるように設置されており、前記スプラインスリーブ６３の右側の末端には切替歯車３９が固定的に設置されており、前記伝動チャンバ４３の中には左右に伸びているスプライン軸４２が回転できるように設置されており、前記スプライン軸４２の右側の伸びている部分と前記スプラインスリーブ６３とがスプラインによって係合接続され、前記扇形歯車チャンバ４０の中の前記スプライン軸４２の外壁には二組の端面歯車４１が左右に斜め対称的に設置されており、前記端面歯車４１が間欠的に前記扇型歯車１４と噛み合い、前記スライドブロック５５と前記スライドチャンバ３８の間に撥条５６が弾性的に接続されており、前記スライドチャンバ３８の頂部にはボタンブロック４９が設置されており、前記ボタンブロック４９にボタン４８がヒンジで接続されており、前記ボタン４８の底には長スライドブロック５１がスライドできるように設置されており、前記長スライドブロック５１の右側には短スライド板５０がスライドできるように設置されており、前記長スライドブロック５１にはスロット５２が設置されており、前記長スライドブロック５１と前記スライドブロック５５とが圧着してスライドできるように係合されており、前記長スライドブロック５１と前記短スライドブロック５１の間にはボード５３がスライドできるように設置されており、前記ボード５３の頂端には復元機構５４が設置されており、前記短スライド板５０と前記ボード５３の右端とが圧着してスライドできるように係合されており、ボタン４８の左側を押し、長スライドブロック５１を下へ移動させ、それによりボード５３をスロット５２の中に固定し、長スライドブロック５１がスライドブロック５５を押圧して右へ移動させてスライドチャンバ３８を右へ移動させ、動力が通じ、ボタン４８の右側を押し、短スライド板５０を下へスライドさせ、これにより短スライド板５０がボード５３を押圧して右へ移動させ、ボード５３をスロット５２から離れさせ、スライドブロック５５が復元し、動力が断つ。
【００１７】
有益なまた例を示すように、前記動力機構８２は前記スライドチャンバ３８の頂壁の中に固定的に植設されるメインモーター３７を含み、前記メインモーター３７の底端には動力軸３６が伝動できるように接続されており、前記動力軸３６の外壁には動力歯車３５が円周方向に固定的に設置され、前記動力軸３６の底端には前記進行チャンバ３３の中に設置される進行歯車３４が固定的に設置されており、前記メイン船体１０の右側端面に羽根スロット２８が設置されており、前記ターボ扇風機と前記進行チャンバ３３の間にはターボ扇風機軸３０が回転できるように設置されており、前記ターボ扇風機軸３０の一端にはターボ羽根２９が設置されており、前記ターボ扇風機軸３０のもう一端には従輪３１が固定的に設置されており、前記従輪３１は前記進行歯車３４と噛合設置される。
【００１８】
有益なまた例を示すように、前記転向機構８３は前記転向チャンバ２７の頂壁中に固定的に植設される回転モーター２４が含み、前記回転モーター２４の底端にはプーリ７０が伝動できるように接続され、前記回転軸２２の底部には転向板２６が固定的に設置されており、前記転向板２６は同じような二組が設置されており、前記プーリ７０が左右対称的に設置されており、前記プーリ７０の間がベルト２３によって伝動できるように接続される。
【００１９】
使用するときに、本船玩具を水面に置き、メインモーター３７を起動し、メインモーター３７は動力軸３６を回転連動させ、進行歯車３４が従輪３１を回転連動させ、更に扇風機軸３０を回転させ、羽根２９を回転させて推力を発生させ、同時に回転モーター２４の正逆方向への回転を制御して回転軸２２の回転を制御し、更に転向板２６を回転できるようにさせ、これにより方向を調整し、ボタン４８の左側を押し、長スライドブロック５１を下へ移動させ、これにより更にスライドブロック５５を右へ移動させ、ボード５３をスロット５２の中に固定し、同時にスライドブロック５５がスプラインスリーブ６３を右へ移動させ、切替歯車３９を動力歯車３５と噛合させ、動力歯車３５はスプライン軸４２を回転連動させ、更に傘歯車Ｂ４４は傘歯車Ａ４５を回転連動させ、クランク回転軸４６は連接ロッド４７を連動させて押え板２０を押し動かして往復運動させ、これにより水をスプレーチャンバ１８に入らせ、出水逆止弁１６から吹き出すことができ、スプライン軸４２は端面歯車４１を回転連動させ、扇型歯車１４をスイングさせ、これにより更にラック１３がスプレーブロック１２をスイング連動させ、吹き出す水をスイングできるようにする。
【００２０】
本領域の技術メンバーは、本発明の総体精神と構想に離脱しない場合に、以上実施例の色々な変形ができるのは明確にし、その全ては本発明の保護範囲の中にあり、本発明の保護案は本発明につく特許請求の範囲を準する。
【図１】
2020146415.tif 000003
【図２】
2020146415.tif 000004
【図３】
2020146415.tif 000005
【手続補正書】
【提出日】令和1年6月4日(2019.6.4)
【手続補正１】
【補正対象書類名】特許請求の範囲
【補正対象項目名】全文
【補正方法】変更
【補正の内容】
【特許請求の範囲】
【請求項１】
メイン船体を含み、前記メイン船体の中にはスプレーチャンバが設置されており、前記スプレーチャンバの中にはスプレー装置が設置されており、前記スプレーチャンバの右側にはクランクチャンバが設置されており、前記クランクチャンバの頂部には伝動チャンバが設置されており、前記伝動チャンバの左側には扇形歯車チャンバが設置されており、前記伝動チャンバの右側にはスライドチャンバが設置されており、前記スライドチャンバの中に動力の通断を指揮するスライドブロック機構が設置されており、
前記スライドブロック機構の動作により、前記動力は、前記伝動チャンバを経由して前記扇形歯車チャンバに伝達されるとともに、前記伝動チャンバを経由して前記クランクチャンバを介して前記スプレーチャンバに伝達され、
スプレー装置の開閉を制御することができ、この開閉により、スプレー装置は水を吸うことと、水を吹き出すことができることを特徴とする子供用船玩具。
【請求項２】
前記スプレー装置は前記メイン船体の頂端に回転できるように設置される支え回転軸を含み、前記支え回転軸の頂部には固定的にスプレーブロックが設置されており、前記スプレーブロックの中には固定的にスプレー管路が設置されており、前記スプレー管路が前記支え回転軸を貫き、前記スプレー管路の中には出水逆止弁が設置されており、前記スプレーチャンバの中にはスライドできるように押え板が設置されており、前記スプレーチャンバの底部が進水逆止弁によって外界と繋がり、前記押え板の右側には固定的に押えロッドが設置されており、前記クランクチャンバの中に回転できるようにクランク回転軸が設置されており、前記クランク回転軸は連接ロッドによって前記押えロッドとヒンジで接続され、前記クランク回転軸の頂端には前記伝動チャンバの中に位置する傘歯車Ａが固定的に設置されており、前記扇形歯車チャンバの中には回転できるように扇型歯車が設置されており、前記スプレーブロックの右側の端面には固定的にラックが設置されており、前記ラックの底端は前記扇型歯車と噛合設置されており、前記スプレーブロックの右側には固定的に人形が設置されており、クランク回転軸が回転し、押えロッドが連動して左右に往復に押え板を押さえ、これにより水がスプレーチャンバに吸い込まれて出水逆止弁を通してスプレー管路から吹き出され、動力が伝達された扇型歯車が回転してラックを往復にスイングさせ、これによりさらにスプレー管路から噴出された水柱をスイングさせることを特徴とする請求項１に記載の子供用船玩具。
【請求項３】
前記スライドブロック機構は前記スライドチャンバにスライドできるように設置されるスライドブロックを含み、前記スライドブロックの中にはスプラインスリーブが回転できるように設置されており、前記スプラインスリーブの右側の末端には切替歯車が固定的に設置されており、前記伝動チャンバの中には左右に伸びているスプライン軸が回転できるように設置されており、前記スプライン軸の右側の伸びている部分と前記スプラインスリーブとがスプラインによって係合接続され、前記扇形歯車チャンバの中の前記スプライン軸の外壁には二組の端面歯車が左右に斜め対称的に設置されており、前記端面歯車が間欠的に前記扇型歯車と噛み合い、前記スライドブロックと前記スライドチャンバの間に撥条が弾性的に接続されており、前記スライドチャンバの頂部にはボタンブロックが設置されており、前記ボタンブロックにボタンがヒンジで接続されており、前記ボタンの底には長スライドブロックがスライドできるように設置されており、前記長スライドブロックの右側には短スライド板がスライドできるように設置されており、前記長スライドブロックにはスロットが設置されており、前記長スライドブロックと前記スライドブロックとが圧着してスライドできるように係合されており、前記長スライドブロックと前記短スライド板の間にはボードがスライドできるように設置されており、前記ボードの頂端には復元機構が設置されており、前記短スライド板と前記ボードの右端とが圧着してスライドできるように係合されており、ボタンの左側を押し、長スライドブロックを下へ移動させ、それによりボードをスロットの中に固定し、長スライドブロックがスライドブロックを押圧して右へ移動させてスプラインスリーブを右へ移動させ、動力が通じ、ボタンの右側を押し、短スライド板を下へスライドさせ、これにより短スライド板がボードを押圧して右へ移動させ、ボードをスロットから離れさせ、スライドブロックが復元し、動力が断つことを特徴とする請求項１に記載の子供用船玩具。
【請求項４】
前記スライドチャンバの底部には進行チャンバが設置されており、前記進行チャンバの中には動力機構が設置されており、前記動力機構が前記メイン船体を押し動かして移動させることができ、
前記動力機構は前記スライドチャンバの頂壁の中に固定的に植設されるメインモーターを含み、前記メインモーターの底端には動力軸が伝動できるように接続されており、前記動力軸の外壁には動力歯車が円周方向に固定的に設置され、前記動力軸の底端には前記進行チャンバの中に設置される進行歯車が固定的に設置されており、前記メイン船体の右側端面に羽根スロットが設置されており、前記羽根スロットと前記進行チャンバの間にはターボ扇風機軸が回転できるように設置されており、前記ターボ扇風機軸の一端にはターボ羽根が設置されており、前記ターボ扇風機軸のもう一端には従輪が固定的に設置されており、前記従輪は前記進行歯車と噛合設置されることを特徴とする請求項１に記載の子供用船玩具。
【請求項５】
前記スライドチャンバの底部には転向チャンバが設置されており、前記転向チャンバの中には転向機構が設置されており、前記転向機構は前記メイン船体の回転を制御でき、
前記転向機構は前記転向チャンバの頂壁中に固定的に植設される回転モーターを含み、前記回転モーターの底端にはプーリが伝動できるように接続され、前記回転軸の底部には転向板が固定的に設置されており、前記転向板は同じような二組が設置されており、前記プーリが左右対称的に設置されており、前記プーリの間がベルトによって伝動できるように接続されることを特徴とする請求項１に記載の子供用船玩具。
【手続補正２】
【補正対象書類名】明細書
【補正対象項目名】全文
【補正方法】変更
【補正の内容】
【発明の詳細な説明】
【技術分野】
【０００１】
本発明はおもちゃ分野を取り上げて、具体的には子供用船玩具。
【背景技術】
【０００２】
現在、既存の船玩具は一般には広い水面に移動するのであり、浴室で移動するのは非常に不便であり、既存の子供用浴室のおもちゃの構造が単純であり、機能が単一であり、だから、子供が入浴中の楽しみをふやすために、子供入浴用の船玩具を設計する必要がある。
【先行技術文献】
【特許文献】
【０００３】
【特許文献１】中国特許出願公開第１０４０９６３６４号明細書
【発明の概要】
【発明が解決しようとする課題】
【０００４】
本発明は子供用船玩具を提供し、上記背景技術において提出した欠点を解決することを目的とする。
【課題を解決するための手段】
【０００５】
本発明の子供用船玩具は、メイン船体を含み、前記メイン船体の中にはスプレーチャンバが設置されており、前記スプレーチャンバの中にはスプレー装置が設置されており、前記スプレーチャンバの右側にはクランクチャンバが設置されており、前記クランクチャンバの頂部には伝動チャンバが設置されており、前記伝動チャンバの左側には扇形歯車チャンバが設置されており、前記伝動チャンバの右側にはスライドチャンバが設置されており、前記スライドチャンバの中に動力の通断を指揮するスライドブロック機構が設置されており、前記スライドブロック機構の動作により、前記動力は、前記伝動チャンバを経由して前記扇形歯車チャンバに伝達されるとともに、前記伝動チャンバを経由して前記クランクチャンバを介して前記スプレーチャンバに伝達され、スプレー装置の開閉を制御することができ、この開閉により、スプレー装置は水を吸うことと、水を吹き出すことができる。
【０００６】
更なる技術方案、前記スプレー装置は前記メイン船体の頂端に回転できるように設置される支え回転軸を含み、前記支え回転軸の頂部には固定的にスプレーブロックが設置されており、前記スプレーブロックの中には固定的にスプレー管路が設置されており、前記スプレー管路が前記支え回転軸を貫き、前記スプレー管路の中には出水逆止弁が設置されており、前記スプレーチャンバの中にはスライドできるように押え板が設置されており、前記スプレーチャンバの底部が進水逆止弁によって外界と繋がり、前記押え板の右側には固定的に押えロッドが設置されており、前記クランクチャンバの中に回転できるようにクランク回転軸が設置されており、前記クランク回転軸は連接ロッドによって前記押えロッドとヒンジで接続され、前記クランク回転軸の頂端には前記伝動チャンバの中に位置する傘歯車Ａが固定的に設置されており、前記扇形歯車チャンバの中には回転できるように扇型歯車が設置されており、前記スプレーブロックの右側の端面には固定的にラックが設置されており、前記ラックの底端は前記扇型歯車と噛合設置されており、前記スプレーブロックの右側には固定的に人形が設置されており、クランク回転軸が回転し、押えロッドが連動して左右に往復に押え板を押さえ、これにより水がスプレーチャンバに吸い込まれて出水逆止弁を通してスプレー管路から吹き出され、動力が伝達された扇型歯車が回転してラックを往復にスイングさせ、これによりさらにスプレー管路から噴出された水柱をスイングさせる。
【０００７】
更なる技術方案、前記スライドブロック機構は前記スライドチャンバにスライドできるように設置されるスライドブロックを含み、前記スライドブロックの中にはスプラインスリーブが回転できるように設置されており、前記スプラインスリーブの右側の末端には切替歯車が固定的に設置されており、前記伝動チャンバの中には左右に伸びているスプライン軸が回転できるように設置されており、前記スプライン軸の右側の伸びている部分と前記スプラインスリーブとがスプラインによって係合接続され、前記扇形歯車チャンバの中の前記スプライン軸の外壁には二組の端面歯車が左右に斜め対称的に設置されており、前記端面歯車が間欠的に前記扇型歯車と噛み合い、前記スライドブロックと前記スライドチャンバの間に撥条が弾性的に接続されており、前記スライドチャンバの頂部にはボタンブロックが設置されており、前記ボタンブロックにボタンがヒンジで接続されており、前記ボタンの底には長スライドブロックがスライドできるように設置されており、前記長スライドブロックの右側には短スライド板がスライドできるように設置されており、前記長スライドブロックにはスロットが設置されており、前記長スライドブロックと前記スライドブロックとが圧着してスライドできるように係合されており、前記長スライドブロックと前記短スライド板の間にはボードがスライドできるように設置されており、前記ボードの頂端には復元機構が設置されており、前記短スライド板と前記ボードの右端とが圧着してスライドできるように係合されており、ボタンの左側を押し、長スライドブロックを下へ移動させ、それによりボードをスロットの中に固定し、長スライドブロックがスライドブロックを押圧して右へ移動させてスプラインスリーブを右へ移動させ、動力が通じ、ボタンの右側を押し、短スライド板を下へスライドさせ、これにより短スライド板がボードを押圧して右へ移動させ、ボードをスロットから離れさせ、スライドブロックが復元し、動力が断つ。
【０００８】
更なる技術方案、前記スライドチャンバの底部には進行チャンバが設置されており、前記進行チャンバの中には動力機構が設置されており、前記動力機構が前記メイン船体を押し動かして移動させることができ、前記動力機構は前記スライドチャンバの頂壁の中に固定的に植設されるメインモーターを含み、前記メインモーターの底端には動力軸が伝動できるように接続されており、前記動力軸の外壁には動力歯車が円周方向に固定的に設置され、前記動力軸の底端には前記進行チャンバの中に設置される進行歯車が固定的に設置されており、前記メイン船体の右側端面に羽根スロットが設置されており、前記羽根スロットと前記進行チャンバの間にはターボ扇風機軸が回転できるように設置されており、前記ターボ扇風機軸の一端にはターボ羽根が設置されており、前記ターボ扇風機軸のもう一端には従輪が固定的に設置されており、前記従輪は前記進行歯車と噛合設置される。
【０００９】
更なる技術方案、前記スライドチャンバの底部には転向チャンバが設置されており、前記転向チャンバの中には転向機構が設置されており、前記転向機構は前記メイン船体の回転を制御でき、前記転向機構は前記転向チャンバの頂壁中に固定的に植設される回転モーターを含み、前記回転モーターの底端にはプーリが伝動できるように接続され、前記回転軸の底部には転向板が固定的に設置されており、前記転向板は同じような二組が設置されており、前記プーリが左右対称的に設置されており、前記プーリの間がベルトによって伝動できるように接続される。
【発明の効果】
【００１０】
本発明の有益な効果は下記の通りである：
【００１１】
本発明の船玩具は転向を制御するのは可能で、それに水面を進行するときに、ボタンを押してスプレー装置の動力に繋がり、船玩具が水を噴出し、おもちゃの面白みを増やし、それに本おもちゃの構造はかなり簡単で広がりやすい。
【図面の簡単な説明】
【００１２】
【図１】は本発明の子供用船玩具の内部全体構成模式図であり；
【図２】は本発明の図１のＡの局部拡大略図である；
【図３】は本発明の図１のＢの局部拡大略図である。
【発明を実施するための形態】
【００１３】
以下に図１〜３を交えて本発明について詳しく説明する、便利に叙述するように、現在は後文に出る方位を下記の通りに規定する：後文に出る上下左右前後方向は図１本体の投影関係の上下左右前後方向と一致する。
【００１４】
図１−３を参照し、本発明の実施例の一種の子供用船玩具は、メイン船体１０を含み、前記メイン船体１０の中にはスプレーチャンバ１８が設置されており、前記スプレーチャンバ１８の中にはスプレー装置８０が設置されており、前記スプレー装置８０は水を吸うことと、水を吹き出すことができ、前記スプレーチャンバ１８の右側にはクランクチャンバ６０が設置されており、前記クランクチャンバ６０の頂部には伝動チャンバ４３が設置されており、前記伝動チャンバ４３の左側には扇形歯車チャンバ４０が設置されており、前記伝動チャンバ４３の右側にはスライドチャンバ３８が設置されており、前記スライドチャンバ３８の中にスライドブロック機構８１が設置されており、前記スライドブロック機構８１はスプレー装置８０の開閉を制御することができ、前記スライドチャンバ３８の底部には進行チャンバ３３が設置されており、前記進行チャンバ３３の中には動力機構８２が設置されており、前記動力機構８２が前記メイン船体を押し動かして移動させることができ、前記スライドチャンバ３８の底部には転向チャンバ２７が設置されており、前記転向チャンバ２７の中には転向機構８３が設置されており、前記転向機構８３は前記メイン船体１０の回転を制御できる。
【００１５】
有益なまた例を示すように、前記スプレー装置８０は前記メイン船体１０の頂端に回転できるように設置される支え回転軸１７を含み、前記支え回転軸１７の頂部には固定的にスプレーブロック１２が設置されており、前記スプレーブロック１２の中には固定的にスプレー管路１１が設置されており、前記スプレー管路１１が前記支え回転軸１７を貫き、前記スプレー管路１１の中には出水逆止弁１６が設置されており、前記スプレーチャンバ１８の中にはスライドできるように押え板２０が設置されており、前記スプレーチャンバ１８の底部が進水逆止弁１９によって外界と繋がり、前記押え板２０の右側には固定的に押えロッド２１が設置されており、前記クランクチャンバ６０の中に回転できるようにクランク回転軸４６が設置されており、前記クランク回転軸４６は連接ロッド４７によって前記押えロッド２１とヒンジで接続され、前記クランク回転軸４６の頂端には前記伝動チャンバ４３の中に位置する傘歯車Ａ４５が固定的に設置されており、前記扇形歯車チャンバ４０の中には回転できるように扇型歯車１４が設置されており、前記スプレーブロック１２の右側の端面には固定的にラック１３が設置されており、前記ラック１３の底端は前記扇型歯車１４と噛合設置されており、前記スプレーブロック１２の右側には固定的に人形１５が設置されており、クランク回転軸４６が回転し、押えロッド２１が連動して左右に往復に押え板２０を押さえ、これにより水がスプレーチャンバ１８に吸い込まれて出水逆止弁１６を通してスプレー管路１１から吹き出され、動力が伝達された扇型歯車１４が回転してラック１３を往復にスイングさせ、これによりさらにスプレー管路から噴出された水柱をスイングさせる。
【００１６】
有益なまた例を示すように、前記スライドブロック機構８１は前記スライドチャンバ３８にスライドできるように設置されるスライドブロック５５を含み、前記スライドブロック５５の中にはスプラインスリーブ６３が回転できるように設置されており、前記スプラインスリーブ６３の右側の末端には切替歯車３９が固定的に設置されており、前記伝動チャンバ４３の中には左右に伸びているスプライン軸４２が回転できるように設置されており、前記スプライン軸４２の右側の伸びている部分と前記スプラインスリーブ６３とがスプラインによって係合接続され、前記扇形歯車チャンバ４０の中の前記スプライン軸４２の外壁には二組の端面歯車４１が左右に斜め対称的に設置されており、前記端面歯車４１が間欠的に前記扇型歯車１４と噛み合い、前記スライドブロック５５と前記スライドチャンバ３８の間に撥条５６が弾性的に接続されており、前記スライドチャンバ３８の頂部にはボタンブロック４９が設置されており、前記ボタンブロック４９にボタン４８がヒンジで接続されており、前記ボタン４８の底には長スライドブロック５１がスライドできるように設置されており、前記長スライドブロック５１の右側には短スライド板５０がスライドできるように設置されており、前記長スライドブロック５１にはスロット５２が設置されており、前記長スライドブロック５１と前記スライドブロック５５とが圧着してスライドできるように係合されており、前記長スライドブロック５１と前記短スライド板５１の間にはボード５３がスライドできるように設置されており、前記ボード５３の頂端には復元機構５４が設置されており、前記短スライド板５０と前記ボード５３の右端とが圧着してスライドできるように係合されており、ボタン４８の左側を押し、長スライドブロック５１を下へ移動させ、それによりボード５３をスロット５２の中に固定し、長スライドブロック５１がスライドブロック５５を押圧して右へ移動させてスプラインスリーブ６３を右へ移動させ、動力が通じ、ボタン４８の右側を押し、短スライド板５０を下へスライドさせ、これにより短スライド板５０がボード５３を押圧して右へ移動させ、ボード５３をスロット５２から離れさせ、スライドブロック５５が復元し、動力が断つ。
【００１７】
有益なまた例を示すように、前記動力機構８２は前記スライドチャンバ３８の頂壁の中に固定的に植設されるメインモーター３７を含み、前記メインモーター３７の底端には動力軸３６が伝動できるように接続されており、前記動力軸３６の外壁には動力歯車３５が円周方向に固定的に設置され、前記動力軸３６の底端には前記進行チャンバ３３の中に設置される進行歯車３４が固定的に設置されており、前記メイン船体１０の右側端面に羽根スロット２８が設置されており、前記羽根スロット２８と前記進行チャンバ３３の間にはターボ扇風機軸３０が回転できるように設置されており、前記ターボ扇風機軸３０の一端にはターボ羽根２９が設置されており、前記ターボ扇風機軸３０のもう一端には従輪３１が固定的に設置されており、前記従輪３１は前記進行歯車３４と噛合設置される。
【００１８】
有益なまた例を示すように、前記転向機構８３は前記転向チャンバ２７の頂壁中に固定的に植設される回転モーター２４が含み、前記回転モーター２４の底端にはプーリ７０が伝動できるように接続され、前記回転軸２２の底部には転向板２６が固定的に設置されており、前記転向板２６は同じような二組が設置されており、前記プーリ７０が左右対称的に設置されており、前記プーリ７０の間がベルト２３によって伝動できるように接続される。
【００１９】
使用するときに、本船玩具を水面に置き、メインモーター３７を起動し、メインモーター３７は動力軸３６を回転連動させ、進行歯車３４が従輪３１を回転連動させ、更に扇風機軸３０を回転させ、羽根２９を回転させて推力を発生させ、同時に回転モーター２４の正逆方向への回転を制御して回転軸２２の回転を制御し、更に転向板２６を回転できるようにさせ、これにより方向を調整し、ボタン４８の左側を押し、長スライドブロック５１を下へ移動させ、これにより更にスライドブロック５５を右へ移動させ、ボード５３をスロット５２の中に固定し、同時にスライドブロック５５がスプラインスリーブ６３を右へ移動させ、切替歯車３９を動力歯車３５と噛合させ、動力歯車３５はスプライン軸４２を回転連動させ、更に傘歯車Ｂ４４は傘歯車Ａ４５を回転連動させ、クランク回転軸４６は連接ロッド４７を連動させて押え板２０を押し動かして往復運動させ、これにより水をスプレーチャンバ１８に入らせ、出水逆止弁１６から吹き出すことができ、スプライン軸４２は端面歯車４１を回転連動させ、扇型歯車１４を回転させ、これにより更にラック１３がスプレーブロック１２をスイング連動させ、吹き出す水をスイングできるようにする。
【００２０】
本領域の技術メンバーは、本発明の総体精神と構想に離脱しない場合に、以上実施例の色々な変形ができるのは明確にし、その全ては本発明の保護範囲の中にあり、本発明の保護案は本発明につく特許請求の範囲を準する。
【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
メイン船体を含み、前記メイン船体の中にはスプレーチャンバが設置されており、前記スプレーチャンバの中にはスプレー装置が設置されており、前記スプレー装置は水を吸うことと、水を吹き出すことができ、前記スプレーチャンバの右側にはクランクチャンバが設置されており、前記クランクチャンバの頂部には伝動チャンバが設置されており、前記伝動チャンバの左側には扇形歯車チャンバが設置されており、前記伝動チャンバの右側にはスライドチャンバが設置されており、前記スライドチャンバの中にスライドブロック機構が設置されており、前記スライドブロック機構はスプレー装置の開閉を制御することができ、前記スライドチャンバの底部には進行チャンバが設置されており、前記進行チャンバの中には動力機構が設置されており、前記動力機構が前記メイン船体を押し動かして移動させることができ、前記スライドチャンバの底部には転向チャンバが設置されており、前記転向チャンバの中には転向機構が設置されており、前記転向機構は前記メイン船体の回転を制御でき、
前記スプレー装置は前記メイン船体の頂端に回転できるように設置される支え回転軸が含み、前記支え回転軸の頂部には固定的にスプレーブロックが設置されており、前記スプレーブロックの中には固定的にスプレー管路が設置されており、前記スプレー管路が前記支え回転軸を貫き、前記スプレー管路の中には出水逆止弁が設置されており、前記スプレーチャンバの中にはスライドできるように押え板が設置されており、前記スプレーチャンバの底部が進水逆止弁によって外界と繋がり、前記押え板の右側には固定的に押えロッドが設置されており、前記クランクチャンバの中に回転できるようにクランク回転軸が設置されており、前記クランク回転軸は連接ロッドによって前記押えロッドとヒンジで接続され、前記クランク回転軸の頂端には前記伝動チャンバの中に位置する傘歯車Ａが固定的に設置されており、前記扇形歯車チャンバの中には回転できるように扇型歯車が設置されており、前記スプレーブロックの右側の端面には固定的にラックが設置されており、前記ラックの底端は前記扇型歯車と噛合設置されており、前記スプレーブロックの右側には固定的に人形が設置されており、クランク回転軸が回転し、押えロッドが連動して左右に往復に押え板を押さえ、これにより水がスプレーチャンバに吸い込ませて出水逆止弁を通してスプレー管路から吹き出され、扇型歯車が回転してラックを往復にスイングさせ、これによりさらにスプレー管路から噴出された水柱をスイングさせ、
前記スライドブロック機構は前記スライドチャンバにスライドできるように設置されるスライドブロックを含み、前記スライドブロックの中にはスプラインスリーブが回転できるように設置されており、前記スプラインスリーブの右側の末端には切替歯車が固定的に設置されており、前記伝動チャンバの中には左右に伸びているスプライン軸が回転できるように設置されており、前記スプライン軸の右側の伸びている部分と前記スプラインスリーブとがスプラインによって係合接続され、前記扇形歯車チャンバの中の前記スプライン軸の外壁には二組の端面歯車が左右に斜め対称的に設置されており、前記端面歯車が間欠的に前記扇型歯車と噛み合い、前記スライドブロックと前記スライドチャンバの間に撥条が弾性的に接続されており、前記スライドチャンバの頂部にはボタンブロックが設置されており、前記ボタンブロックにボタンがヒンジで接続されており、前記ボタンの底には長スライドブロックがスライドできるように設置されており、前記長スライドブロックの右側には短スライド板がスライドできるように設置されており、前記長スライドブロックにはスロットが設置されており、前記長スライドブロックと前記スライドブロックとが圧着してスライドできるように係合されており、前記長スライドブロックと前記短スライドブロックの間にはボードがスライドできるように設置されており、前記ボードの頂端には復元機構が設置されており、前記短スライド板と前記ボードの右端とが圧着してスライドできるように係合されており、ボタンの左側を押し、長スライドブロックを下へ移動させ、それによりボードをスロットの中に固定し、長スライドブロックがスライドブロックを押圧して右へ移動させてスライドチャンバを右へ移動させ、動力が通じ、ボタンの右側を押し、短スライド板を下へスライドさせ、これにより短スライド板がボードを押圧して右へ移動させ、ボードをスロットから離れさせ、スライドブロックが復元し、動力が断ち、
前記動力機構は前記スライドチャンバの頂壁の中に固定的に植設されるメインモーターを含み、前記メインモーターの底端には動力軸が連結されており、前記動力軸の外壁には動力歯車が円周方向に固定的に設置され、前記動力軸の底端には前記進行チャンバの中に設置される進行歯車が固定的に設置されており、前記メイン船体の右側端面に羽根スロットが設置されており、前記ターボ扇風機と前記進行チャンバの間にはターボ扇風機軸が回転できるように設置されており、前記ターボ扇風機軸の一端にはターボ羽根が設置されており、前記ターボ扇風機軸のもう一端には従輪が固定的に設置されており、前記従輪は前記進行歯車と噛合設置され、
前記転向機構は前記転向チャンバの頂壁中に固定的に植設される回転モーターが含み、前記回転モーターの底端にはプーリが連結され、回転軸の底部には転向板が固定的に設置されており、前記転向板は同じような二組が設置されており、前記プーリが左右対称的に設置されており、前記プーリの間がベルトによって連結されることを特徴とする子供用船玩具。
【手続補正２】
【補正対象書類名】明細書
【補正対象項目名】全文
【補正方法】変更
【補正の内容】
【発明の詳細な説明】
【技術分野】
【０００１】
本発明はおもちゃ分野を取り上げて、具体的には子供用船玩具。
【背景技術】
【０００２】
現在、既存の船玩具は一般には広い水面に移動するのであり、浴室で移動するのは非常に不便であり、既存の子供用浴室のおもちゃの構造が単純であり、機能が単一であり、だから、子供が入浴中の楽しみをふやすために、子供入浴用の船玩具を設計する必要がある。
【先行技術文献】
【特許文献】
【０００３】
【特許文献１】中国特許出願公開第１０４０９６３６４号明細書
【発明の概要】
【発明が解決しようとする課題】
【０００４】
本発明は子供用船玩具を提供し、上記背景技術において提出した欠点を解決することを目的とする。
【課題を解決するための手段】
【０００５】
本発明の子供用船玩具は、メイン船体を含み、前記メイン船体の中にはスプレーチャンバが設置されており、前記スプレーチャンバの中にはスプレー装置が設置されており、前記スプレー装置は水を吸うことと、水を吹き出すことができ、前記スプレーチャンバの右側にはクランクチャンバが設置されており、前記クランクチャンバの頂部には伝動チャンバが設置されており、前記伝動チャンバの左側には扇形歯車チャンバが設置されており、前記伝動チャンバの右側にはスライドチャンバが設置されており、前記スライドチャンバの中にスライドブロック機構が設置されており、前記スライドブロック機構はスプレー装置の開閉を制御することができ、前記スライドチャンバの底部には進行チャンバが設置されており、前記進行チャンバの中には動力機構が設置されており、前記動力機構が前記メイン船体を押し動かして移動させることができ、前記スライドチャンバの底部には転向チャンバが設置されており、前記転向チャンバの中には転向機構が設置されており、前記転向機構は前記メイン船体の回転を制御できる。
【０００６】
更なる技術方案、前記スプレー装置は前記メイン船体の頂端に回転できるように設置される支え回転軸が含み、前記支え回転軸の頂部には固定的にスプレーブロックが設置されており、前記スプレーブロックの中には固定的にスプレー管路が設置されており、前記スプレー管路が前記支え回転軸を貫き、前記スプレー管路の中には出水逆止弁が設置されており、前記スプレーチャンバの中にはスライドできるように押え板が設置されており、前記スプレーチャンバの底部が進水逆止弁によって外界と繋がり、前記押え板の右側には固定的に押えロッドが設置されており、前記クランクチャンバの中に回転できるようにクランク回転軸が設置されており、前記クランク回転軸は連接ロッドによって前記押えロッドとヒンジで接続され、前記クランク回転軸の頂端には前記伝動チャンバの中に位置する傘歯車Ａが固定的に設置されており、前記扇形歯車チャンバの中には回転できるように扇型歯車が設置されており、前記スプレーブロックの右側の端面には固定的にラックが設置されており、前記ラックの底端は前記扇型歯車と噛合設置されており、前記スプレーブロックの右側には固定的に人形が設置されており、クランク回転軸が回転し、押えロッドが連動して左右に往復に押え板を押さえ、これにより水がスプレーチャンバに吸い込ませて出水逆止弁を通してスプレー管路から吹き出され、扇型歯車が回転してラックを往復にスイングさせ、これによりさらにスプレー管路から噴出された水柱をスイングさせる。
【０００７】
更なる技術方案、前記スライドブロック機構は前記スライドチャンバにスライドできるように設置されるスライドブロックを含み、前記スライドブロックの中にはスプラインスリーブが回転できるように設置されており、前記スプラインスリーブの右側の末端には切替歯車が固定的に設置されており、前記伝動チャンバの中には左右に伸びているスプライン軸が回転できるように設置されており、前記スプライン軸の右側の伸びている部分と前記スプラインスリーブとがスプラインによって係合接続され、前記扇形歯車チャンバの中の前記スプライン軸の外壁には二組の端面歯車が左右に斜め対称的に設置されており、前記端面歯車が間欠的に前記扇型歯車と噛み合い、前記スライドブロックと前記スライドチャンバの間に撥条が弾性的に接続されており、前記スライドチャンバの頂部にはボタンブロックが設置されており、前記ボタンブロックにボタンがヒンジで接続されており、前記ボタンの底には長スライドブロックがスライドできるように設置されており、前記長スライドブロックの右側には短スライド板がスライドできるように設置されており、前記長スライドブロックにはスロットが設置されており、前記長スライドブロックと前記スライドブロックとが圧着してスライドできるように係合されており、前記長スライドブロックと前記短スライドブロックの間にはボードがスライドできるように設置されており、前記ボードの頂端には復元機構が設置されており、前記短スライド板と前記ボードの右端とが圧着してスライドできるように係合されており、ボタンの左側を押し、長スライドブロックを下へ移動させ、それによりボードをスロットの中に固定し、長スライドブロックがスライドブロックを押圧して右へ移動させてスライドチャンバを右へ移動させ、動力が通じ、ボタンの右側を押し、短スライド板を下へスライドさせ、これにより短スライド板がボードを押圧して右へ移動させ、ボードをスロットから離れさせ、スライドブロックが復元し、動力が断つ。
【０００８】
更なる技術方案、前記動力機構は前記スライドチャンバの頂壁の中に固定的に植設されるメインモーターを含み、前記メインモーターの底端には動力軸が連結されており、前記動力軸の外壁には動力歯車が円周方向に固定的に設置され、前記動力軸の底端には前記進行チャンバの中に設置される進行歯車が固定的に設置されており、前記メイン船体の右側端面に羽根スロットが設置されており、前記ターボ扇風機と前記進行チャンバの間にはターボ扇風機軸が回転できるように設置されており、前記ターボ扇風機軸の一端にはターボ羽根が設置されており、前記ターボ扇風機軸のもう一端には従輪が固定的に設置されており、前記従輪は前記進行歯車と噛合設置される。
【０００９】
更なる技術方案、前記転向機構は前記転向チャンバの頂壁中に固定的に植設される回転モーターが含み、前記回転モーターの底端にはプーリが連結され、回転軸の底部には転向板が固定的に設置されており、前記転向板は同じような二組が設置されており、前記プーリが左右対称的に設置されており、前記プーリの間がベルトによって連結される。
【発明の効果】
【００１０】
本発明の有益な効果は下記の通りである：
【００１１】
本発明の船玩具はモニターで転向を制御するのは可能で、それに水面に進行するときに、ボタンを押してスプレー装置の動力に繋がり、船玩具が水を噴出し、おもちゃの面白みを増やし、それに本おもちゃの構造はかなり簡単で広がりやすい。
【図面の簡単な説明】
【００１２】
【図１】は本発明の子供用船玩具の内部全体構成模式図であり；
【図２】は本発明の図１のＡの局部拡大略図である；
【図３】は本発明の図１のＢの局部拡大略図である。
【発明を実施するための形態】
【００１３】
以下に図１＆＃１２３１６；３を交えて本発明について詳しく説明する、便利に叙述するように、現在は後文に出る方位を下記の通りに規定する：後文に出る上下左右前後方向は図１本体の投影関係の上下左右前後方向と一致する。
【００１４】
図１−３を参照し、本発明の実施例の一種の子供用船玩具は、メイン船体１０を含み、前記メイン船体１０の中にはスプレーチャンバ１８が設置されており、前記スプレーチャンバ１８の中にはスプレー装置８０が設置されており、前記スプレー装置８０は水を吸うことと、水を吹き出すことができ、前記スプレーチャンバ１８の右側にはクランクチャンバ６０が設置されており、前記クランクチャンバ６０の頂部には伝動チャンバ４３が設置されており、前記伝動チャンバ４３の左側には扇形歯車チャンバ４０が設置されており、前記伝動チャンバ４３の右側にはスライドチャンバ３８が設置されており、前記スライドチャンバ３８の中にスライドブロック機構８１が設置されており、前記スライドブロック機構８１はスプレー装置８０の開閉を制御することができ、前記スライドチャンバ３８の底部には進行チャンバ３３が設置されており、前記進行チャンバ３３の中には動力機構８２が設置されており、前記動力機構８２が前記メイン船体を押し動かして移動させることができ、前記スライドチャンバ３８の底部には転向チャンバ２７が設置されており、前記転向チャンバ２７の中には転向機構８３が設置されており、前記転向機構８３は前記メイン船体１０の回転を制御できる。
【００１５】
有益なまた例を示すように、前記スプレー装置８０は前記メイン船体１０の頂端に回転できるように設置される支え回転軸１７が含み、前記支え回転軸１７の頂部には固定的にスプレーブロック１２が設置されており、前記スプレーブロック１２の中には固定的にスプレー管路１１が設置されており、前記スプレー管路１１が前記支え回転軸１７を貫き、前記スプレー管路１１の中には出水逆止弁１６が設置されており、前記スプレーチャンバ１８の中にはスライドできるように押え板２０が設置されており、前記スプレーチャンバ１８の底部が進水逆止弁１９によって外界と繋がり、前記押え板２０の右側には固定的に押えロッド２１が設置されており、前記クランクチャンバ６０の中に回転できるようにクランク回転軸４６が設置されており、前記クランク回転軸４６は連接ロッド４７によって前記押えロッド２１とヒンジで接続され、前記クランク回転軸４６の頂端には前記伝動チャンバ４３の中に位置する傘歯車Ａ４５が固定的に設置されており、前記扇形歯車チャンバ４０の中には回転できるように扇型歯車１４が設置されており、前記スプレーブロック１２の右側の端面には固定的にラック１３が設置されており、前記ラック１３の底端は前記扇型歯車１４と噛合設置されており、前記スプレーブロック１２の右側には固定的に人形１５が設置されており、クランク回転軸４６が回転し、押えロッド２１が連動して左右に往復に押え板２０を押さえ、これにより水がスプレーチャンバ１８に吸い込ませて出水逆止弁１６を通してスプレー管路１１から吹き出され、扇型歯車１４が回転してラック１３を往復にスイングさせ、これによりさらにスプレー管路から噴出された水柱をスイングさせる。
【００１６】
有益なまた例を示すように、前記スライドブロック機構８１は前記スライドチャンバ３８にスライドできるように設置されるスライドブロック５５を含み、前記スライドブロック５５の中にはスプラインスリーブ６３が回転できるように設置されており、前記スプラインスリーブ６３の右側の末端には切替歯車３９が固定的に設置されており、前記伝動チャンバ４３の中には左右に伸びているスプライン軸４２が回転できるように設置されており、前記スプライン軸４２の右側の伸びている部分と前記スプラインスリーブ６３とがスプラインによって係合接続され、前記扇形歯車チャンバ４０の中の前記スプライン軸４２の外壁には二組の端面歯車４１が左右に斜め対称的に設置されており、前記端面歯車４１が間欠的に前記扇型歯車１４と噛み合い、前記スライドブロック５５と前記スライドチャンバ３８の間に撥条５６が弾性的に接続されており、前記スライドチャンバ３８の頂部にはボタンブロック４９が設置されており、前記ボタンブロック４９にボタン４８がヒンジで接続されており、前記ボタン４８の底には長スライドブロック５１がスライドできるように設置されており、前記長スライドブロック５１の右側には短スライド板５０がスライドできるように設置されており、前記長スライドブロック５１にはスロット５２が設置されており、前記長スライドブロック５１と前記スライドブロック５５とが圧着してスライドできるように係合されており、前記長スライドブロック５１と前記短スライドブロック５１の間にはボード５３がスライドできるように設置されており、前記ボード５３の頂端には復元機構５４が設置されており、前記短スライド板５０と前記ボード５３の右端とが圧着してスライドできるように係合されており、ボタン４８の左側を押し、長スライドブロック５１を下へ移動させ、それによりボード５３をスロット５２の中に固定し、長スライドブロック５１がスライドブロック５５を押圧して右へ移動させてスライドチャンバ３８を右へ移動させ、動力が通じ、ボタン４８の右側を押し、短スライド板５０を下へスライドさせ、これにより短スライド板５０がボード５３を押圧して右へ移動させ、ボード５３をスロット５２から離れさせ、スライドブロック５５が復元し、動力が断つ。
【００１７】
有益なまた例を示すように、前記動力機構８２は前記スライドチャンバ３８の頂壁の中に固定的に植設されるメインモーター３７を含み、前記メインモーター３７の底端には動力軸３６が連結されており、前記動力軸３６の外壁には動力歯車３５が円周方向に固定的に設置され、前記動力軸３６の底端には前記進行チャンバ３３の中に設置される進行歯車３４が固定的に設置されており、前記メイン船体１０の右側端面に羽根スロット２８が設置されており、前記ターボ扇風機と前記進行チャンバ３３の間にはターボ扇風機軸３０が回転できるように設置されており、前記ターボ扇風機軸３０の一端にはターボ羽根２９が設置されており、前記ターボ扇風機軸３０のもう一端には従輪３１が固定的に設置されており、前記従輪３１は前記進行歯車３４と噛合設置される。
【００１８】
有益なまた例を示すように、前記転向機構８３は前記転向チャンバ２７の頂壁中に固定的に植設される回転モーター２４が含み、前記回転モーター２４の底端にはプーリ７０が連結され、回転軸２２の底部には転向板２６が固定的に設置されており、前記転向板２６は同じような二組が設置されており、前記プーリ７０が左右対称的に設置されており、前記プーリ７０の間がベルト２３によって連結される。
【００１９】
使用するときに、本船玩具を水面に置き、メインモーター３７を起動し、メインモーター３７は動力軸３６を回転連動させ、進行歯車３４が従輪３１を回転連動させ、更に扇風機軸３０を回転させ、羽根２９を回転させて推力を発生させ、同時に回転モーター２４の正逆方向への回転を制御して回転軸２２の回転を制御し、更に転向板２６を回転できるようにさせ、これにより方向を調整し、ボタン４８の左側を押し、長スライドブロック５１を下へ移動させ、これにより更にスライドブロック５５を右へ移動させ、ボード５３をスロット５２の中に固定し、同時にスライドブロック５５がスプラインスリーブ６３を右へ移動させ、切替歯車３９を動力歯車３５と噛合させ、動力歯車３５はスプライン軸４２を回転連動させ、更に傘歯車Ｂ４４は傘歯車Ａ４５を回転連動させ、クランク回転軸４６は連接ロッド４７を連動させて押え板２０を押し動かして往復運動させ、これにより水をスプレーチャンバ１８に入らせ、出水逆止弁１６から吹き出すことができ、スプライン軸４２は端面歯車４１を回転連動させ、扇型歯車１４をスイングさせ、これにより更にラック１３がスプレーブロック１２をスイング連動させ、吹き出す水をスイングできるようにする。
【００２０】
本領域の技術メンバーは、本発明の総体精神と構想に離脱しない場合に、以上実施例の色々な変形ができるのは明確にし、その全ては本発明の保護範囲の中にあり、本発明の保護案は本発明につく特許請求の範囲を準する。
【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
メイン船体を含み、前記メイン船体の中にはスプレーチャンバが設置されており、前記スプレーチャンバの中にはスプレー装置が設置されており、前記スプレーチャンバの右側にはクランクチャンバが設置されており、前記クランクチャンバの頂部には伝動チャンバが設置されており、前記伝動チャンバの左側には扇形歯車チャンバが設置されており、前記伝動チャンバの右側にはスライドチャンバが設置されており、前記スライドチャンバの中に動力の通断を指揮するスライドブロック機構が設置されており、
前記スライドブロック機構の動作により、前記動力は、前記伝動チャンバを経由して前記扇形歯車チャンバに伝達されるとともに、前記伝動チャンバを経由して前記クランクチャンバを介して前記スプレーチャンバに伝達され、
スプレー装置の開閉を制御することができ、この開閉により、スプレー装置は水を吸うことと、水を吹き出すことができ、
前記スプレー装置は前記メイン船体の頂端に回転できるように設置される支え回転軸を含み、前記支え回転軸の頂部には固定的にスプレーブロックが設置されており、前記スプレーブロックの中には固定的にスプレー管路が設置されており、前記スプレー管路が前記支え回転軸を貫き、前記スプレー管路の中には出水逆止弁が設置されており、前記スプレーチャンバの中にはスライドできるように押え板が設置されており、前記スプレーチャンバの底部が進水逆止弁によって外界と繋がり、前記押え板の右側には固定的に押えロッドが設置されており、前記クランクチャンバの中に回転できるようにクランク回転軸が設置されており、前記クランク回転軸は連接ロッドによって前記押えロッドとヒンジで接続され、前記クランク回転軸の頂端には前記伝動チャンバの中に位置する傘歯車Ａが固定的に設置されており、前記扇形歯車チャンバの中には回転できるように扇型歯車が設置されており、前記スプレーブロックの右側の端面には固定的にラックが設置されており、前記ラックの底端は前記扇型歯車と噛合設置されており、前記スプレーブロックの右側には固定的に人形が設置されており、クランク回転軸が回転し、押えロッドが連動して左右に往復に押え板を押さえ、これにより水がスプレーチャンバに吸い込まれて出水逆止弁を通してスプレー管路から吹き出され、動力が伝達された扇型歯車が回転してラックを往復にスイングさせ、これによりさらにスプレー管路から噴出された水柱をスイングさせ、
前記スライドブロック機構は前記スライドチャンバにスライドできるように設置されるスライドブロックを含み、前記スライドブロックの中にはスプラインスリーブが回転できるように設置されており、前記スプラインスリーブの右側の末端には切替歯車が固定的に設置されており、前記伝動チャンバの中には左右に伸びているスプライン軸が回転できるように設置されており、前記スプライン軸の右側の伸びている部分と前記スプラインスリーブとがスプラインによって係合接続され、前記扇形歯車チャンバの中の前記スプライン軸の外壁には二組の端面歯車が左右に斜め対称的に設置されており、前記端面歯車が間欠的に前記扇型歯車と噛み合い、前記スライドブロックと前記スライドチャンバの間に撥条が弾性的に接続されており、前記スライドチャンバの頂部にはボタンブロックが設置されており、前記ボタンブロックにボタンがヒンジで接続されており、前記ボタンの底には長スライドブロックがスライドできるように設置されており、前記長スライドブロックの右側には短スライド板がスライドできるように設置されており、前記長スライドブロックにはスロットが設置されており、前記長スライドブロックと前記スライドブロックとが圧着してスライドできるように係合されており、前記長スライドブロックと前記短スライド板の間にはボードがスライドできるように設置されており、前記ボードの頂端には復元機構が設置されており、前記短スライド板と前記ボードの右端とが圧着してスライドできるように係合されており、ボタンの左側を押し、長スライドブロックを下へ移動させ、それによりボードをスロットの中に固定し、長スライドブロックがスライドブロックを押圧して右へ移動させてスプラインスリーブを右へ移動させ、動力が通じ、ボタンの右側を押し、短スライド板を下へスライドさせ、これにより短スライド板がボードを押圧して右へ移動させ、ボードをスロットから離れさせ、スライドブロックが復元し、動力が断ち、
前記スライドチャンバの底部には進行チャンバが設置されており、前記進行チャンバの中には動力機構が設置されており、前記動力機構が前記メイン船体を押し動かして移動させることができ、
前記動力機構は前記スライドチャンバの頂壁の中に固定的に植設されるメインモーターを含み、前記メインモーターの底端には動力軸が連結されており、前記動力軸の外壁には動力歯車が円周方向に固定的に設置され、前記動力軸の底端には前記進行チャンバの中に設置される進行歯車が固定的に設置されており、前記メイン船体の右側端面に羽根スロットが設置されており、前記羽根スロットと前記進行チャンバの間にはターボ扇風機軸が回転できるように設置されており、前記ターボ扇風機軸の一端にはターボ羽根が設置されており、前記ターボ扇風機軸のもう一端には従輪が固定的に設置されており、前記従輪は前記進行歯車と噛合設置され、
前記スライドチャンバの底部には転向チャンバが設置されており、前記転向チャンバの中には転向機構が設置されており、前記転向機構は前記メイン船体の回転を制御でき、
前記転向機構は前記転向チャンバの頂壁中に固定的に植設される回転モーターを含み、前記回転モーターの底端にはプーリが連結され、回転軸の底部には転向板が固定的に設置されており、前記転向板は同じような二組が設置されており、前記プーリが左右対称的に設置されており、前記プーリの間がベルトによって連結されることを特徴とする子供用船玩具。
【手続補正２】
【補正対象書類名】明細書
【補正対象項目名】全文
【補正方法】変更
【補正の内容】
【発明の詳細な説明】
【技術分野】
【０００１】
本発明はおもちゃ分野を取り上げて、具体的には子供用船玩具。
【背景技術】
【０００２】
現在、既存の船玩具は一般には広い水面に移動するのであり、浴室で移動するのは非常に不便であり、既存の子供用浴室のおもちゃの構造が単純であり、機能が単一であり、だから、子供が入浴中の楽しみをふやすために、子供入浴用の船玩具を設計する必要がある。
【先行技術文献】
【特許文献】
【０００３】
【特許文献１】中国特許出願公開第１０４０９６３６４号明細書
【発明の概要】
【発明が解決しようとする課題】
【０００４】
本発明は子供用船玩具を提供し、上記背景技術において提出した欠点を解決することを目的とする。
【課題を解決するための手段】
【０００５】
本発明の子供用船玩具は、メイン船体を含み、前記メイン船体の中にはスプレーチャンバが設置されており、前記スプレーチャンバの中にはスプレー装置が設置されており、前記スプレーチャンバの右側にはクランクチャンバが設置されており、前記クランクチャンバの頂部には伝動チャンバが設置されており、前記伝動チャンバの左側には扇形歯車チャンバが設置されており、前記伝動チャンバの右側にはスライドチャンバが設置されており、前記スライドチャンバの中に動力の通断を指揮するスライドブロック機構が設置されており、前記スライドブロック機構の動作により、前記動力は、前記伝動チャンバを経由して前記扇形歯車チャンバに伝達されるとともに、前記伝動チャンバを経由して前記クランクチャンバを介して前記スプレーチャンバに伝達され、スプレー装置の開閉を制御することができ、この開閉により、スプレー装置は水を吸うことと、水を吹き出すことができる。
【０００６】
更なる技術方案、前記スプレー装置は前記メイン船体の頂端に回転できるように設置される支え回転軸を含み、前記支え回転軸の頂部には固定的にスプレーブロックが設置されており、前記スプレーブロックの中には固定的にスプレー管路が設置されており、前記スプレー管路が前記支え回転軸を貫き、前記スプレー管路の中には出水逆止弁が設置されており、前記スプレーチャンバの中にはスライドできるように押え板が設置されており、前記スプレーチャンバの底部が進水逆止弁によって外界と繋がり、前記押え板の右側には固定的に押えロッドが設置されており、前記クランクチャンバの中に回転できるようにクランク回転軸が設置されており、前記クランク回転軸は連接ロッドによって前記押えロッドとヒンジで接続され、前記クランク回転軸の頂端には前記伝動チャンバの中に位置する傘歯車Ａが固定的に設置されており、前記扇形歯車チャンバの中には回転できるように扇型歯車が設置されており、前記スプレーブロックの右側の端面には固定的にラックが設置されており、前記ラックの底端は前記扇型歯車と噛合設置されており、前記スプレーブロックの右側には固定的に人形が設置されており、クランク回転軸が回転し、押えロッドが連動して左右に往復に押え板を押さえ、これにより水がスプレーチャンバに吸い込まれて出水逆止弁を通してスプレー管路から吹き出され、動力が伝達された扇型歯車が回転してラックを往復にスイングさせ、これによりさらにスプレー管路から噴出された水柱をスイングさせる。
【０００７】
更なる技術方案、前記スライドブロック機構は前記スライドチャンバにスライドできるように設置されるスライドブロックを含み、前記スライドブロックの中にはスプラインスリーブが回転できるように設置されており、前記スプラインスリーブの右側の末端には切替歯車が固定的に設置されており、前記伝動チャンバの中には左右に伸びているスプライン軸が回転できるように設置されており、前記スプライン軸の右側の伸びている部分と前記スプラインスリーブとがスプラインによって係合接続され、前記扇形歯車チャンバの中の前記スプライン軸の外壁には二組の端面歯車が左右に斜め対称的に設置されており、前記端面歯車が間欠的に前記扇型歯車と噛み合い、前記スライドブロックと前記スライドチャンバの間に撥条が弾性的に接続されており、前記スライドチャンバの頂部にはボタンブロックが設置されており、前記ボタンブロックにボタンがヒンジで接続されており、前記ボタンの底には長スライドブロックがスライドできるように設置されており、前記長スライドブロックの右側には短スライド板がスライドできるように設置されており、前記長スライドブロックにはスロットが設置されており、前記長スライドブロックと前記スライドブロックとが圧着してスライドできるように係合されており、前記長スライドブロックと前記短スライド板の間にはボードがスライドできるように設置されており、前記ボードの頂端には復元機構が設置されており、前記短スライド板と前記ボードの右端とが圧着してスライドできるように係合されており、ボタンの左側を押し、長スライドブロックを下へ移動させ、それによりボードをスロットの中に固定し、長スライドブロックがスライドブロックを押圧して右へ移動させてスプラインスリーブを右へ移動させ、動力が通じ、ボタンの右側を押し、短スライド板を下へスライドさせ、これにより短スライド板がボードを押圧して右へ移動させ、ボードをスロットから離れさせ、スライドブロックが復元し、動力が断つ。
【０００８】
更なる技術方案、前記スライドチャンバの底部には進行チャンバが設置されており、前記進行チャンバの中には動力機構が設置されており、前記動力機構が前記メイン船体を押し動かして移動させることができ、前記動力機構は前記スライドチャンバの頂壁の中に固定的に植設されるメインモーターを含み、前記メインモーターの底端には動力軸が連結されており、前記動力軸の外壁には動力歯車が円周方向に固定的に設置され、前記動力軸の底端には前記進行チャンバの中に設置される進行歯車が固定的に設置されており、前記メイン船体の右側端面に羽根スロットが設置されており、前記羽根スロットと前記進行チャンバの間にはターボ扇風機軸が回転できるように設置されており、前記ターボ扇風機軸の一端にはターボ羽根が設置されており、前記ターボ扇風機軸のもう一端には従輪が固定的に設置されており、前記従輪は前記進行歯車と噛合設置される。
【０００９】
更なる技術方案、前記スライドチャンバの底部には転向チャンバが設置されており、前記転向チャンバの中には転向機構が設置されており、前記転向機構は前記メイン船体の回転を制御でき、前記転向機構は前記転向チャンバの頂壁中に固定的に植設される回転モーターを含み、前記回転モーターの底端にはプーリが連結され、回転軸の底部には転向板が固定的に設置されており、前記転向板は同じような二組が設置されており、前記プーリが左右対称的に設置されており、前記プーリの間がベルトによって連結される。
【発明の効果】
【００１０】
本発明の有益な効果は下記の通りである：
【００１１】
本発明の船玩具は転向を制御するのは可能で、それに水面を進行するときに、ボタンを押してスプレー装置の動力に繋がり、船玩具が水を噴出し、おもちゃの面白みを増やし、それに本おもちゃの構造はかなり簡単で広がりやすい。
【図面の簡単な説明】
【００１２】
【図１】は本発明の子供用船玩具の内部全体構成模式図であり；
【図２】は本発明の図１のＡの局部拡大略図である；
【図３】は本発明の図１のＢの局部拡大略図である。
【発明を実施するための形態】
【００１３】
以下に図１〜３を交えて本発明について詳しく説明する、便利に叙述するように、現在は後文に出る方位を下記の通りに規定する：後文に出る上下左右前後方向は図１本体の投影関係の上下左右前後方向と一致する。
【００１４】
図１−３を参照し、本発明の実施例の一種の子供用船玩具は、メイン船体１０を含み、前記メイン船体１０の中にはスプレーチャンバ１８が設置されており、前記スプレーチャンバ１８の中にはスプレー装置８０が設置されており、前記スプレー装置８０は水を吸うことと、水を吹き出すことができ、前記スプレーチャンバ１８の右側にはクランクチャンバ６０が設置されており、前記クランクチャンバ６０の頂部には伝動チャンバ４３が設置されており、前記伝動チャンバ４３の左側には扇形歯車チャンバ４０が設置されており、前記伝動チャンバ４３の右側にはスライドチャンバ３８が設置されており、前記スライドチャンバ３８の中にスライドブロック機構８１が設置されており、前記スライドブロック機構８１はスプレー装置８０の開閉を制御することができ、前記スライドチャンバ３８の底部には進行チャンバ３３が設置されており、前記進行チャンバ３３の中には動力機構８２が設置されており、前記動力機構８２が前記メイン船体を押し動かして移動させることができ、前記スライドチャンバ３８の底部には転向チャンバ２７が設置されており、前記転向チャンバ２７の中には転向機構８３が設置されており、前記転向機構８３は前記メイン船体１０の回転を制御できる。
【００１５】
有益なまた例を示すように、前記スプレー装置８０は前記メイン船体１０の頂端に回転できるように設置される支え回転軸１７を含み、前記支え回転軸１７の頂部には固定的にスプレーブロック１２が設置されており、前記スプレーブロック１２の中には固定的にスプレー管路１１が設置されており、前記スプレー管路１１が前記支え回転軸１７を貫き、前記スプレー管路１１の中には出水逆止弁１６が設置されており、前記スプレーチャンバ１８の中にはスライドできるように押え板２０が設置されており、前記スプレーチャンバ１８の底部が進水逆止弁１９によって外界と繋がり、前記押え板２０の右側には固定的に押えロッド２１が設置されており、前記クランクチャンバ６０の中に回転できるようにクランク回転軸４６が設置されており、前記クランク回転軸４６は連接ロッド４７によって前記押えロッド２１とヒンジで接続され、前記クランク回転軸４６の頂端には前記伝動チャンバ４３の中に位置する傘歯車Ａ４５が固定的に設置されており、前記扇形歯車チャンバ４０の中には回転できるように扇型歯車１４が設置されており、前記スプレーブロック１２の右側の端面には固定的にラック１３が設置されており、前記ラック１３の底端は前記扇型歯車１４と噛合設置されており、前記スプレーブロック１２の右側には固定的に人形１５が設置されており、クランク回転軸４６が回転し、押えロッド２１が連動して左右に往復に押え板２０を押さえ、これにより水がスプレーチャンバ１８に吸い込まれて出水逆止弁１６を通してスプレー管路１１から吹き出され、動力が伝達された扇型歯車１４が回転してラック１３を往復にスイングさせ、これによりさらにスプレー管路から噴出された水柱をスイングさせる。
【００１６】
有益なまた例を示すように、前記スライドブロック機構８１は前記スライドチャンバ３８にスライドできるように設置されるスライドブロック５５を含み、前記スライドブロック５５の中にはスプラインスリーブ６３が回転できるように設置されており、前記スプラインスリーブ６３の右側の末端には切替歯車３９が固定的に設置されており、前記伝動チャンバ４３の中には左右に伸びているスプライン軸４２が回転できるように設置されており、前記スプライン軸４２の右側の伸びている部分と前記スプラインスリーブ６３とがスプラインによって係合接続され、前記扇形歯車チャンバ４０の中の前記スプライン軸４２の外壁には二組の端面歯車４１が左右に斜め対称的に設置されており、前記端面歯車４１が間欠的に前記扇型歯車１４と噛み合い、前記スライドブロック５５と前記スライドチャンバ３８の間に撥条５６が弾性的に接続されており、前記スライドチャンバ３８の頂部にはボタンブロック４９が設置されており、前記ボタンブロック４９にボタン４８がヒンジで接続されており、前記ボタン４８の底には長スライドブロック５１がスライドできるように設置されており、前記長スライドブロック５１の右側には短スライド板５０がスライドできるように設置されており、前記長スライドブロック５１にはスロット５２が設置されており、前記長スライドブロック５１と前記スライドブロック５５とが圧着してスライドできるように係合されており、前記長スライドブロック５１と前記短スライド板５１の間にはボード５３がスライドできるように設置されており、前記ボード５３の頂端には復元機構５４が設置されており、前記短スライド板５０と前記ボード５３の右端とが圧着してスライドできるように係合されており、ボタン４８の左側を押し、長スライドブロック５１を下へ移動させ、それによりボード５３をスロット５２の中に固定し、長スライドブロック５１がスライドブロック５５を押圧して右へ移動させてスプラインスリーブ６３を右へ移動させ、動力が通じ、ボタン４８の右側を押し、短スライド板５０を下へスライドさせ、これにより短スライド板５０がボード５３を押圧して右へ移動させ、ボード５３をスロット５２から離れさせ、スライドブロック５５が復元し、動力が断つ。
【００１７】
有益なまた例を示すように、前記動力機構８２は前記スライドチャンバ３８の頂壁の中に固定的に植設されるメインモーター３７を含み、前記メインモーター３７の底端には動力軸３６が連結されており、前記動力軸３６の外壁には動力歯車３５が円周方向に固定的に設置され、前記動力軸３６の底端には前記進行チャンバ３３の中に設置される進行歯車３４が固定的に設置されており、前記メイン船体１０の右側端面に羽根スロット２８が設置されており、前記羽根スロット２８と前記進行チャンバ３３の間にはターボ扇風機軸３０が回転できるように設置されており、前記ターボ扇風機軸３０の一端にはターボ羽根２９が設置されており、前記ターボ扇風機軸３０のもう一端には従輪３１が固定的に設置されており、前記従輪３１は前記進行歯車３４と噛合設置される。
【００１８】
有益なまた例を示すように、前記転向機構８３は前記転向チャンバ２７の頂壁中に固定的に植設される回転モーター２４が含み、前記回転モーター２４の底端にはプーリ７０が連結され、回転軸２２の底部には転向板２６が固定的に設置されており、前記転向板２６は同じような二組が設置されており、前記プーリ７０が左右対称的に設置されており、前記プーリ７０の間がベルト２３によって連結される。
【００１９】
使用するときに、本船玩具を水面に置き、メインモーター３７を起動し、メインモーター３７は動力軸３６を回転連動させ、進行歯車３４が従輪３１を回転連動させ、更に扇風機軸３０を回転させ、羽根２９を回転させて推力を発生させ、同時に回転モーター２４の正逆方向への回転を制御して回転軸２２の回転を制御し、更に転向板２６を回転できるようにさせ、これにより方向を調整し、ボタン４８の左側を押し、長スライドブロック５１を下へ移動させ、これにより更にスライドブロック５５を右へ移動させ、ボード５３をスロット５２の中に固定し、同時にスライドブロック５５がスプラインスリーブ６３を右へ移動させ、切替歯車３９を動力歯車３５と噛合させ、動力歯車３５はスプライン軸４２を回転連動させ、更に傘歯車Ｂ４４は傘歯車Ａ４５を回転連動させ、クランク回転軸４６は連接ロッド４７を連動させて押え板２０を押し動かして往復運動させ、これにより水をスプレーチャンバ１８に入らせ、出水逆止弁１６から吹き出すことができ、スプライン軸４２は端面歯車４１を回転連動させ、扇型歯車１４を回転させ、これにより更にラック１３がスプレーブロック１２をスイング連動させ、吹き出す水をスイングできるようにする。
【００２０】
本領域の技術メンバーは、本発明の総体精神と構想に離脱しない場合に、以上実施例の色々な変形ができるのは明確にし、その全ては本発明の保護範囲の中にあり、本発明の保護案は本発明につく特許請求の範囲を準する。